(57)【特許請求の範囲】
【請求項１】
回転基部及び当該回転基部から連続して延びる指示部を有する透光性材料からなる指示部材と、前記回転基部の所要領域を隠蔽する覆うカバーとを有する指針と、
前記回転基部の背後に前記指針とは分離して配置され前記指示部を発光させる複数の光源と、
これら光源を点灯させる制御手段とを備え、
前記複数の光源が少なくとも第１の光源と、第２の光源とで構成され、
前記回転基部には少なくとも前記第１の光源からの光を前記指示部の第１の所定領域に導くための第１の反射部と、前記第２の光源からの光を前記第１の所定領域に隣接する第２の所定領域に導くための第２の反射部とが形成され、
前記制御手段は前記指示部が所定のパターンで点消灯するように前記第１，第２の光源を独立して点消灯動作させることを特徴とする指示計器。
【請求項２】
前記第１の所定領域が前記回転基部側に、前記第２の所定領域が指示部の先端側にそれぞれ位置しており、前記回転基部の回転軸線を基準としたとき、前記各反射部の傾斜角を異ならせたことを特徴とする請求項１記載の指示計器。
【請求項３】
前記指針の静止状態において、前記第１，第２の反射部が前記第１，第２の光源に対向すると共に、前記第１，第２の光源と前記第１，第２の反射部との間に前記第１，第２の光源からの光を前記第１，第２の反射部に向けて集光させる導光部材を配置したことを特徴とする請求項１記載の指示計器。
【請求項４】
前記所定のパターンが前記指示部の発光長さを変化させるものであることを特徴とする請求項１または請求項１記載の指示計器。
【請求項５】
前記制御手段が前記所定のパターンを実行させる際に前記第１，第２の光源の発光輝度を徐々に変化させることを特徴とする請求項４記載の指示計器。
【請求項６】
前記所定のパターンが前記指示部の発光エリアを移動させるもの、または前記指示部において発光を継続する継続発光エリアと所定周期で発光と非発光を繰り返す間欠発光エリアとを併存させたものであることを特徴とする１記載の指示計器。
【請求項７】
前記指示部を半透過性部材で覆ったことを特徴する請求１記載の指示計器。
【発明の詳細な説明】
【技術分野】
【０００１】
本発明は、例えば車両に搭載される指示計器に関し、特に指針を所定領域毎に点消灯させることが可能な指示計器に係わる。
【背景技術】
【０００２】
従来、この種の指示装置として、例えば下記特許文献１に示されているものが知られている。この指示計器は、指針の指示部内に複数個の発光ダイオードを一列に搭載しており、これら発光ダイオードを例えばスイッチオンのタイミングで一端側から他端側に向けて所定領域毎に順次点灯させることで、観察者に斬新性や躍動感を与えたり、警報報知時の誘目性（注目性）を喚起するものである。
【特許文献１】特開平１０−３３２４３８号公報
【発明の開示】
【発明が解決しようとする課題】
【０００３】
しかしながら、特許文献１記載の指示計器は、指針内に発光ダイオードからなる光源を搭載する構造であるため、光源への通電が必要となって構造の複雑化やコスト上昇を招くという問題があった。
【０００４】
そこで、本発明は前記従来の問題点を解決するためになされたもので、その主な目的は簡素で安価な構造にて指針を所定領域毎に点消灯させることが可能な指示計器を提供するものである。
【課題を解決するための手段】
【０００６】
本発明は、前記目的を達成するため、回転基部及び当該回転基部から連続して延びる指示部を有する透光性材料からなる指示部材と、前記回転基部の所要領域を隠蔽する覆うカバーとを有する指針と、前記回転基部の背後に前記指針とは分離して配置され前記指示部を発光させる複数の光源と、これら光源を点灯させる制御手段とを備え、前記複数の光源が少なくとも第１の光源と、第２の光源とで構成され、前記回転基部には少なくとも前記第１の光源からの光を前記指示部の第１の所定領域に導くための第１の反射部と、前記第２の光源からの光を前記第１の所定領域に隣接する第２の所定領域に導くための第２の反射部とが形成され、前記制御手段は前記指示部が所定のパターンで点消灯するように前記第１，第２の光源を独立して点消灯動作させることを特徴とする。
【０００７】
また本発明は、前記第１の所定領域が前記回転基部側に、前記第２の所定領域が指示部の先端側にそれぞれ位置しており、前記回転基部の回転軸線を基準としたとき、前記各反射部の傾斜角を異ならせたことを特徴とする。
【０００８】
また本発明は、前記指針の静止状態において、前記第１，第２の反射部が前記第１，第２の光源に対向すると共に、前記第１，第２の光源と前記第１，第２の反射部との間に前記第１，第２の光源からの光を前記第１，第２の反射部に向けて集光させる導光部材を配置したことを特徴とする。
【０００９】
また本発明は、前記所定のパターンが前記指示部の発光長さを変化させるものであることを特徴とする。
【００１０】
また本発明は、前記制御手段が前記所定のパターンを実行させる際に前記第１，第２の光源の発光輝度を徐々に変化させることを特徴とする。
【００１１】
また本発明は、前記所定のパターンが前記指示部の発光エリアを移動させるもの、または前記指示部において発光を継続する継続発光エリアと所定周期で発光と非発光を繰り返す間欠発光エリアとを併存させたものであることを特徴とする。
【００１２】
また本発明は、前記指示部を半透過性部材で覆ったことを特徴する。
【発明の効果】
【００１３】
本発明により、初期の目的を達成することができ、簡素で安価な構造にて指針を所定領域毎に点消灯させることが可能な指示計器を提供することができる。
【発明を実施するための最良の形態】
【００１４】
図１〜図８は、本発明の第１の実施形態を示すもので、図１は本実施形態による指示計器の平面図、図２は図１のＡ−Ａ断面図、図３は同実施形態の指示部材を示す平面図、図４は図３のＢ−Ｂ断面図、図５は同実施形態の導光部材を示す平面図、図６は同実施形態のブロック図、図７は同実施形態による光源の点消灯状態を示すタイミングチャート、図８は同実施形態による指示部の発光・非発光パターンを示す正面図である。なおこの場合、指示計器は、例えば自動車に搭載されるものである
【００１５】
図１、図２において、指示計器は、駆動軸１を前方（図１中上方）に突設してなる駆動装置２と、この駆動装置２の前方側（図１中上側）に位置する回路基板３と、この回路基板３の前方側に配置される筒体４１を備えたケース４と、このケース４によって支持される表示板５と、この表示板５の前方に位置し駆動装置２の駆動軸１によって動作（回転）する指針６と、この指針６と表示板５を背後から照明する光源７，８と、光源８と指針６との間に配置される導光部材９と、光源７，８の動作（点消灯）を制御する制御手段１０（図６参照）とを有する。
【００１６】
駆動装置２は、ステッピングモータ式ゲージやエアコア式ゲージ等の周知のコイル型電動機からなり、駆動軸１が回路基板３を貫通するように回路基板３の背面に装着されている。
【００１７】
回路基板３は、周知の硬質プリント回路基板からなり、駆動装置２と各光源７，８と制御手段１０を実装する回路パターンを有する。
【００１８】
ケース４は、例えば光反射率の高い白色の合成樹脂からなり、筒体４１は、円筒状に形成され、その内部に駆動軸１、光源８、導光部材９を収納している。
【００１９】
表示板５は、周知の印刷表示板からなり、指針６に対応する目盛、文字、マーク等の意匠部５１を有し、この場合、意匠部５１は指針６の回動軌道に沿って円弧状に配列された光透過部によって形成され、その周囲は遮光性を有している。表示板５はまた駆動軸１と指針６との連結を可能とする貫通孔５２を有し、この貫通孔５２がケース４の開口４２と対応する構造である。
【００２０】
指針６は、図２に示すように、透光性合成樹脂材料からなる指示部材６１と、遮光性合成樹脂材料からなるカバー６２と、同じく遮光性合成樹脂材料からなる指針座６３と、半透過性材料からなる隠蔽部材６４とからなり、指針座６３を通じて駆動軸１に連結されている。
【００２１】
指示部材６１は、駆動軸１を中心とした回転基部６１０と、この回転基部６１０から連続して延びる指示部６１１とからなる。
【００２２】
回転基部６１０には、図３，図４に示すように、指示部６１１の後述する所定領域に応じて、３種類の反射部、すなわち第１〜第３の反射部６１２ａ〜６１２ｃが形成されている。
【００２３】
これら反射部６１２ａ〜６１２ｃのうち、第１の反射部６１２ａは、図３に示すように、指示部６１１のうち、最も回転基部６１０側に位置する第１の所定領域（長手方向所定領域）６１３ａに光を導く（反射する）ためのもので、指針６が静止状態にあるとき、回転基部６１０の背後に指針６とは分離して複数個配置される光源８のうち、第１の光源８ａに対応し、この第１の光源８ａからの光（光の一部）は、図４に示すように、第１の反射部６１２ａを通じて一旦、回転基部６１０または回転基部６１０に近い指示部６１１の前面に向けて反射された後、指示部６１１の前面で反射した光が指示部６１１の底面に向かい、これにより第１の所定領域６１３ａを発光させるものである。
【００２４】
また第２の反射部６１２ｂは、指示部６１１のうち、第１の所定領域６１３ａに隣接する第２の所定領域（長手方向所定領域）６１３ｂに光を導く（反射する）ためのもので、指針６が静止状態にあるとき、第２の光源８ｂに対応し、この第２の光源８ｂからの光（光の一部）は、図４に示すように、第２の反射部６１３ｂを通じて一旦、指示部６１１の前面に向けて反射された後、指示部６１１の前面で反射された光が指示部６１１の底面に向かい、これにより第２の所定領域６１３ｂを発光させるものである。なおこの場合、第２の反射部６１２ｂは、回転基部６１０において、指示部６１１の長手方向軸線の左右に突出形成された部分の壁面を利用して、それぞれひとつずつ形成されている。
【００２５】
さらに第３の反射部６１２ｃは、指示部６１１のうち、第２の所定領域６１３ｂに隣接すると共に指示部６１１の最も先端側に位置する第３の所定領域（長手方向所定領域）６１３ｃに光を導く（反射する）ためのもので、指針６が静止状態にあるとき、第３の光源８ｃに対応し、この第３の光源８ｃからの光は、図４に示すように、第３の反射部６１３ｃを通じて一旦、指示部６１１の前面に向けて反射された後、指示部６１１の前面で反射された光が指示部６１１の底面に向かい、これにより第３の所定領域６１３ｃを発光させるものである。なおこの場合、第３の反射部６１２ｃと第１の反射部６１２ａは、指示部６１１の長手方向軸線上にそれぞれ位置している。
またここで、第１〜第３の反射部６１２ａ〜６１２ｃの回転基部６１０の回転軸線に対する傾斜角（狭角側の傾斜角）θａ〜θｃに注目すると、それらの光照射対象である第１〜第３の所定領域６１３ａ〜６１３ｃに対応して異なるように設けられており、本実施形態の場合、θａ＜θｂ＜θｃに設定されている。
このようにθａを最も小さくした理由は、回転基部６１０に最も近接する第１の所定領域６１３ａを発光させるにあたり、回転基部６１０または指示部６１１の前面による光反射作用を活用して効率よく発光させるためである。すなわち、回転基部６１０または指示部６１１の前面による光反射作用を使わずに第１の所定領域６１３ａに光を導く場合、θａを第１の所定領域６１３ａに充分な光が反射できる大きな角度に設定する必要があるが、このように大きな角度に設定すると、第１の反射部６１２ａを透過する光の量が多くなって充分な反射を期待できず、第１の所定領域６１３ａを効率よく発光させることが困難となる。
またθｂをθａより大きく、θｃより小さくした理由は、回転基部６１０に対して第１の所定領域６１３ａより遠く、第３の所定領域６１３ｃよりも近接する、指示部６１１の中央に位置する第２の所定領域６１３ｂを指示部６１１の前面による光反射作用を活用して効率よく照明するためである。
また同様に、θｃを最も大きくした理由は、回転基部６１０に対して最も遠い第３の所定領域６１３ｃを指示部６１１の前面による光反射作用を活用して効率よく照明するためである。
なおこの場合、指示部６１１の底面は表示板５に板面に平行、その前面は、表示板５に板面に徐々に近づくように傾斜して延びており、このように前面を傾斜させたことにより、指示部６１１前面の反射効率を高めている。
【００２６】
指示部６１１は、上記のように、長手方向に沿って第１〜第３の所定領域６１３ａ〜６１３ｃに分けられる他、その背面には、反射部６１２ａ〜６１２ｃを通じて反射された光を前面側に反射するホットスタンプ層が設けられている。
【００２７】
カバー６２は、図２に示すように、例えば黒色を有し、回転基部６１０の前方側及び側方側を覆い、背面側を露出するように指示部材６１を覆っている。
【００２８】
指針座６３は、例えばカバー６２と同じ黒色を有し、各光源８ａ〜８ｃからの光を第１〜第３の反射部６１２ａ〜６１２ｃに透過させる複数の透光部６３１と、駆動軸１に連結されるボス部６３２とを備えている。
【００２９】
隠蔽部材６４は、光源８（第１の光源８ａ〜８ｃ）の消灯時に指針の存在を隠して（見えづらくして）点灯時にだけ見せるようにするもので、指示部６１１をその全長にわたって隠蔽している。
【００３０】
光源７，８は例えば表面実装型の発光ダイオードからなり、光源７は、表示板５の背面適宜箇所に対応するように、光源８（第１〜第３の光源８ａ〜８ｃ）は、筒体４１内に位置して駆動軸１の周囲に略等間隔に、かつ図１に示す指針６の静止状態において、第１〜第３の反射部６１２ａ〜６１２ｃに対応するように配置されている。
【００３１】
導光部材９は、適宜手段にて筒体４１内に固定されており、図１に示す指針６の静止状態において、第１の光源８ａ及び第１の反射部６１２ａに対応する第１の区分９１と、第２の光源８ｂ及び第２の反射部６１２ｂに対応する第２の区分９２と、第３の光源８ｃ及び第３の反射部６１２ｃに対応する第３の区分９３とを備えており、これら区分９１〜９３毎に各光源８ａ〜８ｃからの光を集光させて、対応の各反射部６１２ａ〜６１２ｃに照射するもので、各区分９１〜９３の軸方向端面はそれぞれ球面に設定されている。
【００３２】
制御手段１０は、図６に示すように、例えばマイクロコンピュータからなるもので、第１〜第３の光源８ａ〜８ｃ、光源７、駆動装置等の各種動作を制御するものであるが、図６では、その出力側に接続される第１〜第３の光源８ａ〜８ｃのみを示す。
【００３３】
この制御手段１０の入力側には、イグニッションスイッチ１１が接続される他、電源ラインを介して電源（バッテリ）１２と接続されている。
【００３４】
次に、図７及び図８に基づいて、制御手段１０により実行される第１〜第３の光源８ａ〜８ｃの点消灯処理について説明するが、当該点灯処理は、マイクロコンピュータ内の記憶素子に格納されている点消灯プログラムに基づいて実行されるもので、後述するイグニッションスイッチのオン等、所定の入力信号を受信した際、これをトリガとして処理が実行される。なおイグニッションスイッチ１１のオフ時（電源オフ時）、指針６は図１に示す位置に静止し、第１の反射部６１２ａに導光部材９の第１の区分９１及び第１の光源８ａが対応し、第２の反射部６１２ｂに導光部材９の第２の区分９２及び第２の光源８ｂが対応し、第３の反射部６１２ｃに導光部材９の第３の区分９３及び第３の光源８ｃが対応しているものとする。
【００３５】
まず、時刻ｔ１にて、イグニッションスイッチ１１がオフからオンに切り替わる（この際、エンジンが始動するものとする）と、第１の光源６１２ａの点灯処理が開始され、この際、第１の光源６１２ａはその発光輝度が徐々に上昇するように点灯処理され、第２の光源８ｂの点灯処理が開始される時刻ｔ２よりも後となる時刻ｔ３にて最高輝度となり、その後は点灯状態を維持する。
【００３６】
次に時刻ｔ２にて点灯処理が開始された第２の光源８ｂもその発光輝度が徐々に上昇するように点灯処理され、第３の光源８ｃの点灯処理が開始される時刻ｔ４よりも後となる時刻ｔ５にて最高輝度となり、その後は点灯状態を維持する。
【００３７】
次に時刻ｔ４にて点灯処理が開始された第３の光源８ｃもその発光輝度が徐々に上昇するように点灯処理され、時刻ｔ６にて最高輝度となり、その後は点灯状態を維持する。
【００３８】
このように第１〜第３の光源８ａ〜８ｃの点灯開始時期が時間差を有するように第１〜第３の光源８ａ〜８ｃを独立して点灯動作させることにより、図８（ａ）〜（ｃ）に示すように、第１の所定領域６１３ａ→第２の所定領域６１３ｂ→第３の所定領域６１３ｃの順番で発光させ、これにより所定のパターンとして、指示部６１１が経時変化に伴って元部側から先端部側に向けて延びる発光パターンを観察者に見せることができる。
【００３９】
この場合、第１〜第３の所定領域６１３ａ〜６１３ｃは、第１〜第３の光源８ａ〜８ｃからの光を第１〜第３の反射部６１２ａ〜６１２ｃで反射することにより発光するため、指示部６１１上の発光エリアを厳密に第１〜第３の所定領域６１３ａ〜６１３ｃに分けることは難しく、各所定領域６１３ａ〜６１３ｃにおいては、中央部が最も明るく、端部に向かうに従って次第に輝度が低下する発光形態にて部分発光する。
【００４０】
また本例の場合、輝度上昇を伴いながら時差点灯させることにより、指示部６１１が元部側から先端部側に向けて延びる（指示部の長さが変化する）ように発光させる際の、連続性や円滑性を確保するようにしている。
【００４１】
なお本例では、イグニッションスイッチ１１のオンで指示部６１１が元部側から先端部側に向けて延びように発光し、最終的には最大発光長さに至るパターンにて発光させる例を示したが、指示部６１１の発光長を変化させる場合、先端部側から元部側に向けて延びるように発光させてもよい。
【００４２】
また指示部６１１の発光長を変化させるパターンとしては、例えばイグニッションスイッチ１１のオフで指示部６１１の発光長が徐々に短くなり、最終的には消えるパターンで消灯処理してもよい。
【００４３】
また本実施形態では、指示部６１１を第１〜第３の所定領域６１３ａ〜６１３ｃの３つに分割し、それぞれに第１〜第３の反射部６１２ａ〜６１２ｃ及び第１〜第３の区分９１〜９３及び第１〜第３の光源８ａ〜８ｃを対応させる例を示したが、指示部６１１における所定領域の分割数、反射部の数、光源の数は任意に設定できる。
【００４４】
また本実施形態では、第１〜第３の反射部６１２ａ〜６１２ｃを通じて第１〜第３の所定領域６１３ａ〜６１３ｃをエリア毎に発光させる例を示したが、指示部６１１を指針６とは分離配置された光源８ａ〜８ｃでエリア毎に発光させる場合、必ずしも反射部を設定しなくともよいし、例えば、回転基部６１０に最も近い第１の所定領域６１３ａは反射部ではなく、回転基部６１０を通じて進行する第１の光源８ａで発光させ、残りの所定領域６１３ｂ，６１３ｃは、第２，第３の反射部６１２ｂ，６１２ｃを通じて発光させてもよい。
【００４５】
以上の通り、本実施形態では、回転基部６１０及び当該回転基部６１０から連続して延びる指示部６１１を有する透光性材料からなる指示部材６１と、回転基部６１０の所要領域を隠蔽する覆うカバー６２とを有する指針６と、回転基部６１０の背後に指針６とは分離して配置され指示部６１１を発光させる複数の光源８ａ〜８ｃと、これら光源８ａ〜８ｃを点灯させる制御手段１０とを備え、複数の光源８が第１〜第３の光源８ａ〜８ｃで構成され、回転基部６１０には第１〜第３の光源８ａ〜８ｃからの光を第１〜第３の所定領域６１３ａ〜６１３ｃに向けて反射させる第１〜第３の反射部６１２ａ〜６１２ｃが形成され、制御手段１０は指示部６１１が所定のパターンで点灯するように第１〜第３の光源８ａ〜８ｃを独立して点消灯動作させることにより、指針自体に光源を搭載することなく指針を所定領域毎に点消灯させることができ、簡素で安価な構造となすことができる。
【００４６】
また本実施形態では、イグニッションスイッチ１１のオンに伴う点灯処理が終了して通常の動作モードとなり、指針６が図１に示す静止位置から回転しても、第１〜第３の光源８ａ〜８ｃの全てが点灯した場合、導光部材９を介して回転基部６１０に向かう光は、指針６の回転位置に依存せずに常に略一定となるので、回転位置による指針６の輝度ムラが発生しにくい構造となっており、このため、通常、もしくは従来から用いられている発光指針の構造を僅かに変更する（例えば反射部の位置や傾斜角を変更する等）だけでよいので、設計に係わる負荷を軽減することができる。
【００４７】
また本実施形態では、第１の所定領域６１２ａが回転基部６１０側に、第２の所定領域６１２ｂが中央に、第３の所定領域６１２ｃが先端側にそれぞれ位置しており、回転基部６１０の回転軸線を基準としたとき、各反射部６１２ａ〜６１２ｃの傾斜角θａ〜θｃを異なるように設定したことにより、光源８ａ〜８ｃの光を簡単な構成にて効率よく各所定領域６１２ａ〜６１２ｃに導くことができる。特に指示部６１１の形状を前面が表示板５に徐々に近づくテーパ形状に設定し、各傾斜角θａ〜θｃをθａ＜θｂ＜θｃとなるように設定したことにより、各所定領域６１３ａ〜６１３ｃを効率よく照明することができる。
【００４８】
また本実施形態では、指針６の静止状態において、第１〜第３の反射部６１２ａ〜６１２ｃが第１〜第３の光源８ａ〜８ｃに対応すると共に、第１〜第３の光源８ａ〜８ｃと第１〜第３の反射部６１２ａ〜６１２ｃとの間に第１〜第３の光源８ａ〜８ｃからの光を第１〜第３の反射部６１２ａ〜６１２ｃに向けて集光させる導光部材９を配置したことにより、第１〜第３の光源８ａ〜８ｃからの光を収束させた状態にて第１〜第３の反射部６１２ａ〜６１２ｃに導くことができるため、各所定領域６１２ａ〜６１２ｃを集中的に発光させることができる。
【００４９】
また本実施形態では、指示部６１１をその発光長さが変化するパターンで発光させたことにより、スタート時（イグニッションスイッチ１１のオン時）に指針６への注目性を高めることができる。
【００５０】
また本実施形態では、制御手段１０が指示部６１１をその発光長さが変化するパターンで発光させる場合に、各光源８ａ〜８ｃの発光輝度が徐々に高くなるように変化させることにより、発光動作の連続性や円滑性を確保することができる。
【００５１】
また本実施形態では、指示部６１１を半透過性部材６４で覆ったことにより、光源８（第１の光源８ａ〜８ｃ）の消灯時に指針６の存在を隠し（見えづらくし）、点灯時にだけ見せるようにすることができ、これにより斬新性を演出することができる。
【００５２】
図９及び図１０（ａ）〜（ｂ）は、本発明の第２の実施形態として、制御手段１０により実行される他の点消灯処理パターンを示すもので、図９は各光源の点消灯状態を示すタイミングチャート、図１０は同実施形態による指示部の発光・非発光パターンを示す正面図である。
【００５３】
すなわち本例では、図９に示すように、時刻ｔ１にて第１の光源８ａを点灯させた後、時刻ｔ２で消灯させると同時に第２の光源ｂを点灯させ、しかる後、第２の光源ｂを時刻ｔ３で消灯させると同時に第３の光源８ｃを点灯させるもので、このように各光源８ａ〜８ｃを点消灯動作させることにより、図１０（ａ）〜（ｂ）に示すように、各所定領域６１３ａ〜６１３ｃにおいて発光領域が移動するように見せることができ、これにより斬新性を演出することができる他、前記第１の実施形態と同様の効果を期待できる。
【００５４】
図１１及び図１２（ａ）〜（ｂ）は、本発明の第３の実施形態として、制御手段１０により実行される他の点消灯処理パターンを示すもので、図１１は各光源の点消灯状態を示すタイミングチャート、図１２は同実施形態による指示部の発光・非発光パターンを示す正面図である。
【００５５】
すなわち本例では、図１２に示すように、時刻ｔ１にて第１〜第３の光源８ａ〜８ｃを一斉に点灯させた後、時刻ｔ２にて第２の光源８ｂのみ消灯させ、その後、第２の光源８ｂを一定の周期で点滅させるようにしたもので、このように各光源８ａ〜８ｃを点消灯動作させることにより、図１２（ａ）〜（ｂ）に示すように、発光を継続する継続発光エリア（第１，第３の所定領域６１３ａ，６１３ｃ）と所定周期で発光と非発光を繰り返す間欠発光エリア（第２の所定領域６１３ｂ）とを併存させることができ、これによっても斬新性を演出できる他、前記第１の実施形態と同様の効果を期待できる。
【００５６】
なお上記各例では種々のパターンを例示したが、各光源を独立して点消灯動作させることができればで、点消灯パターンは任意である。
【００５７】
また第４の実施形態として図示しないが、各光源のうち、任意の光源を２色以上の発光色で発光可能な光源で構成するか、または所定の反射部に対応する位置に発光色の異なる光源を必要色分配置し、所定領域または領域毎に発光色を変化させてもよい。
【図面の簡単な説明】
【００５８】
【図１】本発明の第１の実施形態による指示計器の平面図。
【図２】図１のＡ−Ａ断面図。
【図３】同実施形態の指示部材を示す平面図
【図４】図３のＢ−Ｂ断面図。
【図５】同実施形態の導光部材を示す平面図。
【図６】同実施形態のブロック図。
【図７】同実施形態による光源の点消灯状態を示すタイミングチャート。
【図８】同実施形態による指示部の発光・非発光パターンを示す正面図。
【図９】本発明の第２の実施形態による各光源の点消灯状態を示すタイミングチャート。
【図１０】同実施形態による指示部の発光・非発光パターンを示す正面図。
【図１１】本発明の第３の実施形態による各光源の点消灯状態を示すタイミングチャート。
【図１２】同実施形態による指示部の発光・非発光パターンを示す正面図。
【符号の説明】
【００５９】
１  駆動軸
２  駆動装置
３  回路基板
４１  筒体
４  ケース
５  表示板
６  指針
７，８  光源
９  導光部材
１０  制御手段
５１  意匠部
５２  貫通孔
６１  指示部材
６２  カバー
６３  指針座
６４  隠蔽部材
６１０  回転基部
６１１  指示部
６１２ａ〜６１２ｃ  第１〜第３の反射部
６１３ａ〜６１３ｃ  第１〜第３の所定領域
θａ〜θｃ  傾斜角
６３１  透光部
６３２  ボス部
９１〜９３  第１〜第３の区分
１１  イグニッションスイッチ
１２  電源
【図１】
0004826162.tif 000002
【図２】
0004826162.tif 000003
【図３】
0004826162.tif 000004
【図４】
0004826162.tif 000005
【図５】
0004826162.tif 000006
【図６】
0004826162.tif 000007
【図７】
0004826162.tif 000008
【図８】
0004826162.tif 000009
【図９】
0004826162.tif 000010
【図１０】
0004826162.tif 000011
【図１１】
0004826162.tif 000012
【図１２】
0004826162.tif 000013